(57)【要約】【課題】ＣＳＦＢ処理によって開始される移動局の回線交換通信についても規制する。【解決手段】本実施形態に係る交換局ＭＭＥのＣＳＦＢ処理部１４は、ＬＴＥ方式の移動通信システムのコアネットワークにおけるベアラを確立している状態の移動局ＵＥによって所定エリアにおいて送信されたサービス要求信号に、第１識別情報が含まれていることが検知された場合であっても、所定エリアではＷＣＤＭＡ方式の移動通信システムにおける移動局ＵＥのＣＳ通信が規制されていることが通知されている場合には、ＷＣＤＭＡ方式の移動通信システムで移動局ＵＥがＣＳ通信を開始するためのＣＳＦＢ処理を行わないように構成されている。【選択図】図２
2010045746.tif 000002
【特許請求の範囲】
【請求項１】
所定エリアにおいて、移動局が、回線交換通信を提供していない第１移動通信システムのコアネットワークにおけるベアラを確立している状態で、サービス要求信号を送信する工程と、
前記第１移動通信システムの交換局において、前記サービス要求信号に第１識別情報が含まれていることが検知された場合、第２移動通信システムで前記移動局が回線交換通信を開始するための第１処理が行われる工程と、
前記第１移動通信システムの交換局において、前記サービス要求信号に第２識別情報が含まれていることが検知された場合、該第１移動通信システムの無線アクセスネットワークにおける前記移動局のベアラを確立するための第２処理が行われる工程とを有し、
前記第１移動通信システムの交換局において、前記サービス要求信号に前記第１識別情報が含まれていることが検知された場合であっても、前記所定エリアでは前記第２移動通信システムにおける前記移動局の回線交換通信が規制されていることが通知されている場合には、前記第１処理は行われないことを特徴とする移動通信方法。
【請求項２】
所定エリアにおいて、移動局が、回線交換通信を提供していない第１移動通信システムのコアネットワークにおけるベアラを確立している状態で、サービス要求信号を送信する工程と、
前記第１移動通信システムの交換局において、前記サービス要求信号に第１識別情報が含まれていることが検知された場合、第２移動通信システムで前記移動局が回線交換通信を開始するための第１処理が行われる工程と、
前記第１移動通信システムの交換局において、前記サービス要求信号に第２識別情報が含まれていることが検知された場合、該第１移動通信システムの無線アクセスネットワークにおける前記移動局のベアラを確立するための第２処理が行われる工程とを有し、
前記第１移動通信システムの無線基地局が、前記所定エリアでは前記第２移動通信システムにおける前記移動局の回線交換通信が規制されていることが通知されている場合には、該第１移動通信システムの交換局から、前記第１処理用信号を受信した場合に、該第１処理を中止することを特徴とする移動通信方法。
【請求項３】
所定エリアにおいて、移動局が、回線交換通信を提供していない第１移動通信システムのコアネットワークにおけるベアラを確立している状態で、該移動局と該第１移動通信システムの交換局との間で終端する第１プロトコル用信号としてのサービス要求信号を送信する工程と、
前記第１移動通信システムの交換局において、前記サービス要求信号に第１識別情報が含まれていることが検知された場合、第２移動通信システムで前記移動局が回線交換通信を開始するための第１処理が行われる工程と、
前記第１移動通信システムの交換局において、前記サービス要求信号に第２識別情報が含まれていることが検知された場合、該第１移動通信システムの無線アクセスネットワークにおける前記移動局のベアラを確立するための第２処理が行われる工程とを有し、
前記第１移動通信システムの無線基地局が、前記第１プロトコル用信号、該第１プロトコル用信号を伝達するために用いられる前記移動局と該無線基地局との間で終端する第２プロトコル用信号或いは該無線基地局と前記第１移動通信システムの交換局との間との間で終端する第３プロトコル用信号を受信して解析した結果、該第１プロトコル用信号、該第２プロトコル用信号或いは該第３プロトコル用信号が、前記第１識別情報を含む前記サービス要求信号に対応する場合で、かつ、前記所定エリアでは前記第２移動通信システムにおける前記移動局の回線交換通信が規制されていることが通知されている場合には、前記第１移動通信システムの交換局に対して該サービス要求信号を転送しないことを特徴とする移動通信方法。
【請求項４】
所定エリアにおいて、移動局が、回線交換通信を提供していない第１移動通信システムのコアネットワークにおけるベアラを確立している状態で、サービス要求信号を送信する工程と、
前記第１移動通信システムの交換局において、前記サービス要求信号に第１識別情報が含まれていることが検知された場合、第２移動通信システムで前記移動局が回線交換通信を開始するための第１処理が行われる工程と、
前記第１移動通信システムの交換局において、前記サービス要求信号に第２識別情報が含まれていることが検知された場合、該第１移動通信システムの無線アクセスネットワークにおける前記移動局のベアラを確立するための第２処理が行われる工程とを有し、
前記所定エリアでは前記第２移動通信システムにおける前記移動局の回線交換通信が規制されている場合には、該第２移動通信システムの無線アクセスネットワーク装置は、該移動局の該第２移動通信システムへの切り替え要求信号を受信した場合に、前記第１処理を中止することを特徴とする移動通信方法。
【請求項５】
所定エリアにおいて、移動局が、回線交換通信を提供していない第１移動通信システムのコアネットワークにおけるベアラを確立している状態で、サービス要求信号を送信する工程と、
前記第１移動通信システムの交換局において、前記サービス要求信号に第１識別情報が含まれていることが検知された場合、第２移動通信システムで前記移動局が回線交換通信を開始するための第１処理が行われる工程と、
前記第１移動通信システムの交換局において、前記サービス要求信号に第２識別情報が含まれていることが検知された場合、該第１移動通信システムの無線アクセスネットワークにおける前記移動局のベアラを確立するための第２処理が行われる工程とを有し、
前記移動局は、前記第２移動通信システムの無線アクセスネットワーク装置から、前記所定エリアでは前記第２移動通信システムにおける前記移動局の回線交換通信が規制されていることを示す規制情報を含む該移動局の該第２移動通信システムへの切り替え要求信号を受信した場合に、前記第１処理を中止することを特徴とする移動通信方法。
【請求項６】
回線交換通信を提供していない第１移動通信システムの交換局であって、
前記第１移動通信システムのコアネットワークにおけるベアラを確立している状態の移動局によって所定エリアにおいて送信されたサービス要求信号に、第１識別情報が含まれていることが検知された場合、第２移動通信システムで前記移動局が回線交換通信を開始するための第１処理を行うように構成されている第１処理部と、
前記サービス要求信号に、第２識別情報が含まれていることが検知された場合、前記第１移動通信システムの無線アクセスネットワークにおける前記移動局のベアラを確立するための第２処理を行うように構成されている第２処理部とを具備し、
前記第１処理部は、前記サービス要求信号に、前記第１識別情報が含まれていることが検知された場合であっても、前記所定エリアでは前記第２移動通信システムにおける前記移動局の回線交換通信が規制されていることが通知されている場合には、前記第１処理を行わないように構成されていることを特徴とする交換局。
【請求項７】
移動局が、回線交換通信を提供していない第１移動通信システムのコアネットワークにおけるベアラを確立している状態で、第１識別情報を含むサービス要求信号を送信し、第１移動通信システムの交換局が、該サービス要求を受信した場合に、第２移動通信システムで該移動局が回線交換通信を開始するための第１処理が行われるように構成されている移動通信システムで用いられる第１移動通信システムの無線基地局であって、
前記移動局と前記第１移動通信システムの交換局との間で終端する第１プロトコル用信号、該第１プロトコル用信号を伝達するために用いられる該移動局と前記無線基地局との間で終端する第２プロトコル用信号用信号或いは該無線基地局と前記第１移動通信システムの交換局との間との間で終端する第３プロトコル用信号を受信して解析するように構成されている解析部を具備し、
前記解析部は、所定エリアにおいて前記移動局によって送信された前記第１プロトコル用信号、前記第２プロトコル用信号或いは前記第３プロトコル用信号を受信して解析した結果、該第１プロトコル用信号、該第２プロトコル用信号或いは該第３プロトコル用信号が、前記第１識別情報を含む前記サービス要求信号に対応する場合で、かつ、該所定エリアでは前記第２移動通信システムにおける該移動局の回線交換通信が規制されていることが通知されている場合には、前記第１移動通信システムの交換局に対して該サービス要求信号を転送しないように構成されていることを特徴とする無線基地局。
【発明の詳細な説明】
【技術分野】
【０００１】
本発明は、移動通信方法、交換局及び無線基地局に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムは、回線交換（ＣＳ：Ｃｉｒｃｕｉｔ  Ｓｗｉｔｃｈｅｄ）通信を提供していない。したがって、ＬＴＥ方式の移動通信システムに在圏している移動局ＵＥは、ＣＳＦＢ（Ｃｉｒｃｕｉｔ  Ｓｗｉｔｃｈｅｄ  Ｆａｌｌｂａｃｋ）処理を行うことによって、回線交換通信を提供しているＷＣＤＭＡ方式の移動通信システムに遷移して回線交換通信を開始するように構成されている。
【非特許文献１】３ＧＰＰ  ＴＳ２３.３７２、「Ｃｉｒｃｕｉｔ  Ｓｗｉｔｃｈｅｄ  Ｆａｌｌｂａｃｋ  ｉｎ  Ｅｖｏｌｖｅｄ  Ｐａｃｋｅｔ  Ｓｙｓｔｅｍ」
【発明の開示】
【発明が解決しようとする課題】
【０００３】
一般的な移動通信システムは、トラフィック集中等によるシステム障害を回避するために、所定エリアにおける所定通信を規制することができる。
【０００４】
例えば、かかる移動通信システムは、所定エリアにおいて移動局から送信された回線交換通信用の発信信号を検出することによって当該移動局の回線交換通信を規制するように構成されている。
【０００５】
しかしながら、かかる移動通信システムは、ＣＳＦＢ処理では、上述のような回線交換通信用の発信信号を検出することができないため、ＣＳＦＢ処理によって開始される移動局の回線交換通信を規制することができないという問題点があった。
【０００６】
そこで、本発明は、上述の課題に鑑みてなされたものであり、ＣＳＦＢ処理によって開始される移動局の回線交換通信についても規制することができる移動通信方法、交換局及び無線基地局を提供することを目的とする。
【課題を解決するための手段】
【０００７】
本発明の第１の特徴は、移動通信方法であって、所定エリアにおいて、移動局が、回線交換通信を提供していない第１移動通信システムのコアネットワークにおけるベアラを確立している状態で、サービス要求信号を送信する工程と、前記第１移動通信システムの交換局において、前記サービス要求信号に第１識別情報が含まれていることが検知された場合、第２移動通信システムで前記移動局が回線交換通信を開始するための第１処理が行われる工程と、前記第１移動通信システムの交換局において、前記サービス要求信号に第２識別情報が含まれていることが検知された場合、該第１移動通信システムの無線アクセスネットワークにおける前記移動局のベアラを確立するための第２処理が行われる工程とを有し、前記第１移動通信システムの交換局において、前記サービス要求信号に前記第１識別情報が含まれていることが検知された場合であっても、前記所定エリアでは前記第２移動通信システムにおける前記移動局の回線交換通信が規制されていることが通知されている場合には、前記第１処理は行われないことを要旨とする。
【０００８】
本発明の第２の特徴は、移動通信方法であって、所定エリアにおいて、移動局が、回線交換通信を提供していない第１移動通信システムのコアネットワークにおけるベアラを確立している状態で、サービス要求信号を送信する工程と、前記第１移動通信システムの交換局において、前記サービス要求信号に第１識別情報が含まれていることが検知された場合、第２移動通信システムで前記移動局が回線交換通信を開始するための第１処理が行われる工程と、前記第１移動通信システムの交換局において、前記サービス要求信号に第２識別情報が含まれていることが検知された場合、該第１移動通信システムの無線アクセスネットワークにおける前記移動局のベアラを確立するための第２処理が行われる工程とを有し、前記第１移動通信システムの無線基地局が、前記所定エリアでは前記第２移動通信システムにおける前記移動局の回線交換通信が規制されていることが通知されている場合には、該第１移動通信システムの交換局から、前記第１処理用信号を受信した場合に、該第１処理を中止することを要旨とする。
【０００９】
本発明の第３の特徴は、移動通信方法であって、所定エリアにおいて、移動局が、回線交換通信を提供していない第１移動通信システムのコアネットワークにおけるベアラを確立している状態で、該移動局と該第１移動通信システムの交換局との間で終端する第１プロトコル用信号としてのサービス要求信号を送信する工程と、前記第１移動通信システムの交換局において、前記サービス要求信号に第１識別情報が含まれていることが検知された場合、第２移動通信システムで前記移動局が回線交換通信を開始するための第１処理が行われる工程と、前記第１移動通信システムの交換局において、前記サービス要求信号に第２識別情報が含まれていることが検知された場合、該第１移動通信システムの無線アクセスネットワークにおける前記移動局のベアラを確立するための第２処理が行われる工程とを有し、前記第１移動通信システムの無線基地局が、前記第１プロトコル用信号、該第１プロトコル用信号を伝達するために用いられる前記移動局と該無線基地局との間で終端する第２プロトコル用信号、或いは、該無線基地局と該第１移動通信システムの交換局との間で終端する第３プロトコル用信号を受信して解析した結果、該第１プロトコル用信
号、該第２プロトコル用信号或いは該第３プロトコル用信号が、前記第１識別情報を含む前記サービス要求信号に対応する場合で、かつ、前記所定エリアでは前記第２移動通信システムにおける前記移動局の回線交換通信が規制されていることが通知されている場合には、前記第１移動通信システムの交換局に対して該サービス要求信号を転送しないことを要旨とする。
【００１０】
本発明の第４の特徴は、移動通信方法であって、所定エリアにおいて、移動局が、回線交換通信を提供していない第１移動通信システムのコアネットワークにおけるベアラを確立している状態で、サービス要求信号を送信する工程と、前記第１移動通信システムの交換局において、前記サービス要求信号に第１識別情報が含まれていることが検知された場合、第２移動通信システムで前記移動局が回線交換通信を開始するための第１処理が行われる工程と、前記第１移動通信システムの交換局において、前記サービス要求信号に第２識別情報が含まれていることが検知された場合、該第１移動通信システムの無線アクセスネットワークにおける前記移動局のベアラを確立するための第２処理が行われる工程とを有し、前記所定エリアでは前記第２移動通信システムにおける前記移動局の回線交換通信が規制されている場合には、該第２移動通信システムの無線アクセスネットワーク装置は、該移動局の該第２移動通信システムへの切り替え要求信号を受信した場合に、前記第１処理を中止することを要旨とする。
【００１１】
本発明の第５の特徴は、移動通信方法であって、所定エリアにおいて、移動局が、回線交換通信を提供していない第１移動通信システムのコアネットワークにおけるベアラを確立している状態で、サービス要求信号を送信する工程と、前記第１移動通信システムの交換局において、前記サービス要求信号に第１識別情報が含まれていることが検知された場合、第２移動通信システムで前記移動局が回線交換通信を開始するための第１処理が行われる工程と、前記第１移動通信システムの交換局において、前記サービス要求信号に第２識別情報が含まれていることが検知された場合、該第１移動通信システムの無線アクセスネットワークにおける前記移動局のベアラを確立するための第２処理が行われる工程とを有し、前記移動局は、前記第２移動通信システムの無線アクセスネットワーク装置から、前記所定エリアでは前記第２移動通信システムにおける前記移動局の回線交換通信が規制されていることを示す規制情報を含む該移動局の該第２移動通信システムへの切り替え要求信号を受信した場合に、前記第１処理を中止することを要旨とする。
【００１２】
本発明の第６の特徴は、回線交換通信を提供していない第１移動通信システムの交換局であって、前記第１移動通信システムのコアネットワークにおけるベアラを確立している状態の移動局によって所定エリアにおいて送信されたサービス要求信号に、第１識別情報が含まれていることが検知された場合、第２移動通信システムで前記移動局が回線交換通信を開始するための第１処理を行うように構成されている第１処理部と、前記サービス要求信号に、第２識別情報が含まれていることが検知された場合、前記第１移動通信システムの無線アクセスネットワークにおける前記移動局のベアラを確立するための第２処理を行うように構成されている第２処理部とを具備し、前記第１処理部は、前記サービス要求信号に、前記第１識別情報が含まれていることが検知された場合であっても、前記所定エリアでは前記第２移動通信システムにおける前記移動局の回線交換通信が規制されていることが通知されている場合には、前記第１処理を行わないように構成されていることを要旨とする。
【００１３】
本発明の第７の特徴は、移動局が、回線交換通信を提供していない第１移動通信システムのコアネットワークにおけるベアラを確立している状態で、第１識別情報を含むサービス要求信号を送信し、第１移動通信システムの交換局が、該サービス要求を受信した場合に、第２移動通信システムで該移動局が回線交換通信を開始するための第１処理が行われるように構成されている移動通信システムで用いられる第１移動通信システムの無線基地局であって、前記移動局と前記第１移動通信システムの交換局との間で終端する第１プロトコル用信号、該第１プロトコル用信号を伝達するために用いられる該移動局と前記無線基地局との間で終端する第２プロトコル用信号、或いは、該無線基地局と該第１移動通信システムの交換局との間で終端する第３プロトコル用信号を受信して解析するように構成されている解析部を具備し、前記解析部は、所定エリアにおいて前記移動局によって送信された前記第１プロトコル用信号、前記第２プロトコル用信号或いは前記第３プロトコル用信号を受信して解析した結果、該第１プロトコル用信号、前記第２プロトコル用信号或いは前記第３プロトコル用信号が、前記第１識別情報を含む前記サービス要求信号に対応する場合で、かつ、該所定エリアでは前記第２移動通信システムにおける該移動局の回線交換通信が規制されていることが通知されている場合には、前記第１移動通信システムの交換局に対して該サービス要求信号を転送しないように構成されていることを要旨とする。
【発明の効果】
【００１４】
以上説明したように、本発明によれば、ＣＳＦＢ処理によって開始される移動局の回線交換通信についても規制することができる移動通信方法、交換局及び無線基地局を提供することができる。
【発明を実施するための最良の形態】
【００１５】
（本発明の第１の実施形態に係る移動通信システム）
図１乃至図３を参照して、本発明の第１の実施形態に係る移動通信システムの構成について説明する。
【００１６】
図１に示すように、本実施形態に係る移動通信システムは、ゲートウェイ装置ＰＤＮ-ＧＷと、ＬＴＥ方式の移動通信システム（第１移動通信システム）のサービングゲートウェイ装置Ｓ-ＧＷ＃１と、ＬＴＥ方式の移動通信システムの交換局ＭＭＥ（Ｍｏｂｉｌｉｔｙ  Ｍａｎａｇｅｍｅｎｔ  Ｅｎｔｉｔｙ）と、ＬＴＥ方式の移動通信システムの無線基地局ｅＮＢと、ＷＣＤＭＡ方式の移動通信システム（第２移動通信システム）のサービングゲートウェイ装置Ｓ-ＧＷ＃２と、ＷＣＤＭＡ方式の移動通信システムの交換局（パケット交換通信用交換機ＳＧＳＮ及び回線交換通信用交換機ＭＳＣ）と、ＷＣＤＭＡ方式の移動通信システムの無線アクセスネットワーク装置（無線制御装置ＲＮＣ及び無線基地局ＮＢ）とを具備している。
【００１７】
また、図１に示すように、ＬＴＥ方式の移動通信システム配下のトラッキングエリアＴＡ＃１と、ＷＣＤＭＡ方式の移動通信システム配下のロケーションエリアＬＡ＃１とが地理的に一部で重なっている。
【００１８】
さらに、ＬＴＥ方式の移動通信システムでは、ＣＳ通信が提供されておらず、ＷＣＤＭＡ方式の移動通信システムでは、ＣＳ通信が提供されている。
【００１９】
また、ＬＴＥ方式の移動通信システムに在圏している移動局ＵＥは、常時、ＬＴＥ方式の移動通信システムのコアネットワークにおけるベアラを確立している状態である。
【００２０】
なお、本実施形態では、トラッキングエリアＴＡ＃１内の移動局ＵＥが、ＣＳＦＢ処理を行うことによって、ＷＣＤＭＡ方式の移動通信システム配下のロケーションエリアＬＡ＃１内でＣＳ通信を開始する場合の例について説明する。
【００２１】
図２に示すように、交換局ＭＭＥは、規制情報管理部１１と、Ｓｅｒｖｉｃｅ  Ｒｅｑｕｅｓｔ受信部１２と、判定部１３と、ＣＳＦＢ処理部１４と、Ｐｒｅｓｅｒｖａｔｉｏｎ復帰処理部１５とを具備している。
【００２２】
規制情報管理部１１は、ＬＴＥ方式の移動通信システムにおける規制情報及びＷＣＤＭＡ方式の移動通信システムにおける規制情報を管理するように構成されている。
【００２３】
例えば、ＷＣＤＭＡ方式の移動通信システムにおける規制情報は、所定エリアではＷＣＤＭＡ方式の移動通信システムにおける移動局ＵＥのＣＳ通信（発信のみ、或いは、発信及び着信）が規制されていることを示すものである。
【００２４】
規制情報管理部１１は、定期的に、ＷＣＤＭＡ方式の移動通信システムの所定装置から、ＷＣＤＭＡ方式の移動通信システムにおける規制情報が通知されるように構成されている。
【００２５】
Ｓｅｒｖｉｃｅ  Ｒｅｑｕｅｓｔ受信部１２は、ＬＴＥ方式の移動通信システムに在圏している移動局ＵＥによって送信された「Ｓｅｒｖｉｃｅ  Ｒｅｑｕｅｓｔ（サービス要求信号）」を受信するように構成されている。
【００２６】
ここで、「Ｓｅｒｖｉｃｅ  Ｒｅｑｕｅｓｔ」は、ＮＡＳプロトコル用信号（移動局ＵＥと交換局ＭＭＥとの間で終端する第１プロトコル用信号）である。第１識別情報を含む「Ｓｅｒｖｉｃｅ  Ｒｅｑｕｅｓｔ」は、ＣＳＦＢ処理用の「Ｓｅｒｖｉｃｅ  Ｒｅｑｕｅｓｔ」であり、第２識別情報を含む「Ｓｅｒｖｉｃｅ  Ｒｅｑｕｅｓｔ」は、Ｐｒｅｓｅｒｖａｔｉｏｎ復帰処理用の「Ｓｅｒｖｉｃｅ  Ｒｅｑｕｅｓｔ」であるものとする。
【００２７】
判定部１３は、Ｓｅｒｖｉｃｅ  Ｒｅｑｕｅｓｔ受信部１２によって受信された「Ｓｅｒｖｉｃｅ  Ｒｅｑｕｅｓｔ」に含まれている識別情報（第１識別情報又は第２識別情報）に基づいて、かかる「Ｓｅｒｖｉｃｅ  Ｒｅｑｕｅｓｔ」がＣＳＦＢ処理用の「Ｓｅｒｖｉｃｅ  Ｒｅｑｕｅｓｔ」或いはＰｒｅｓｅｒｖａｔｉｏｎ復帰処理用の「Ｓｅｒｖｉｃｅ  Ｒｅｑｕｅｓｔ」のいずれであるかについて判定するように構成されている。
【００２８】
ＣＳＦＢ処理部１４は、上述の「Ｓｅｒｖｉｃｅ  Ｒｅｑｕｅｓｔ」に、第１識別情報が含まれていることが検知された場合、ＷＣＤＭＡ方式の移動通信システムで移動局ＵＥがＣＳ通信を開始するためのＣＳＦＢ処理（第１処理）を行うように構成されている。
【００２９】
例えば、ＣＳＦＢ処理部１４は、ＣＳＦＢ処理用信号として、無線基地局ｅＮＢに対して、「Ｓ１  Ｉｎｉｔｉａｌ  ＵＥ  Ｃｏｎｔｅｘｔ  Ｓｅｔｕｐ」を送信するように構成されている。
【００３０】
なお、ＣＳＦＢ処理部１４は、上述の「Ｓｅｒｖｉｃｅ  Ｒｅｑｕｅｓｔ」に、第１識別情報が含まれていることが検知された場合であっても、ロケーションエリアＬＡ＃１（所定エリア）ではＷＣＤＭＡ方式の移動通信システムにおける移動局ＵＥのＣＳ通信が規制されていることを示す規制情報が規制情報管理部１１によって管理されている場合には、ＣＳＦＢ処理を行わないように構成されている。
【００３１】
Ｐｒｅｓｅｒｖａｔｉｏｎ復帰処理部１５は、上述の「Ｓｅｒｖｉｃｅ  Ｒｅｑｕｅｓｔ」に、第２識別情報が含まれていることが検知された場合、ＬＴＥ方式の移動通信システムの無線アクセスネットワークにおける移動局ＵＥのベアラを確立するためのＰｒｅｓｅｒｖａｔｉｏｎ復帰処理（第２処理）を行うように構成されている。
【００３２】
ここで、図３を参照して、本発明の第１の実施形態に係る移動通信システムの動作について説明する。
【００３３】
図３に示すように、ステップＳ１００１において、トラッキングエリアＴＡ＃１（所定エリア）内の移動局ＵＥが、ＬＴＥ方式の移動通信システムのコアネットワークにおけるベアラを確立している状態で、第１識別情報を含む「Ｓｅｒｖｉｃｅ  Ｒｅｑｕｅｓｔ」を送信する。
【００３４】
ステップＳ１００２において、交換局ＭＭＥにおいて、ロケーションエリアＬＡ＃１内のトラッキングエリアＴＡ＃１に対応するエリア（所定エリア）ではＷＣＤＭＡ方式の移動通信システムにおける移動局ＵＥのＣＳ通信が規制されていることが通知されているため、「Ｓｅｒｖｉｃｅ  Ｒｅｑｕｅｓｔ」に第１識別情報が含まれていることが検知された場合であっても、ＣＳＦＢ処理は開始されない。
【００３５】
本発明の第１の実施形態に係る移動通信システムによれば、ＬＴＥ方式の交換局ＭＭＥが、ＷＣＤＭＡ方式の移動通信システムにおける規制情報を考慮して、ＣＳＦＢ処理を行うか否かについて判定することができるため、ＷＣＤＭＡ方式の移動通信システムにおいて、ＣＳＦＢ処理によって開始される移動局ＵＥのＣＳ通信について規制することができる。
【００３６】
（変更例１）
図４及び図５を参照して、本発明の変更例１に係る移動通信システムについて説明する。以下、本変更例１に係る移動通信システムについて、上述の第１の実施形態に係る移動通信システムとの相違点に着目して説明する。
【００３７】
図４に示すように、無線基地局ｅＮＢは、規制情報管理部２１と、ＣＳＦＢ処理部２２とを具備している。
【００３８】
規制情報管理部２１は、図２に示す交換局ＭＭＥの規制情報管理部１１と同様の機能を具備するものである。
【００３９】
ＣＳＦＢ処理部２２は、交換局ＭＭＥから、ＣＳＦＢ処理用信号として、「Ｓ１  Ｉｎｉｔｉａｌ  ＵＥ  Ｃｏｎｔｅｘｔ  Ｓｅｔｕｐ」を受信した場合に、ＣＳＦＢ処理を行うように構成されている。
【００４０】
なお、ＣＳＦＢ処理部２２は、「Ｓ１  Ｉｎｉｔｉａｌ  ＵＥ  Ｃｏｎｔｅｘｔ  Ｓｅｔｕｐ」を受信した場合であっても、ロケーションエリアＬＡ＃１（所定エリア）ではＷＣＤＭＡ方式の移動通信システムにおける移動局ＵＥのＣＳ通信が規制されていることを示す規制情報が規制情報管理部２１によって管理されている場合には、ＣＳＦＢ処理を行わないように構成されている。
【００４１】
ここで、図５を参照して、本変更例１に係る移動通信システムの動作について説明する。
【００４２】
図５に示すように、ステップＳ２００１において、トラッキングエリアＴＡ＃１（所定エリア）内の移動局ＵＥが、ＬＴＥ方式の移動通信システムのコアネットワークにおけるベアラを確立している状態で、第１識別情報を含む「Ｓｅｒｖｉｃｅ  Ｒｅｑｕｅｓｔ」を送信する。
【００４３】
ステップＳ２００２において、交換局ＭＭＥは、上述の「Ｓｅｒｖｉｃｅ  Ｒｅｑｕｅｓｔ」に、第１識別情報が含まれていることを検知し、ＣＳＦＢ処理用信号として、無線基地局ｅＮＢに対して、「Ｓ１  Ｉｎｉｔｉａｌ  ＵＥ  Ｃｏｎｔｅｘｔ  Ｓｅｔｕｐ」を送信する。
【００４４】
ステップＳ２００３において、無線基地局ｅＮＢは、ロケーションエリアＬＡ＃１内のトラッキングエリアＴＡ＃１に対応するエリア（所定エリア）ではＷＣＤＭＡ方式の移動通信システムにおける移動局ＵＥのＣＳ通信が規制されていることが通知されているため、ＣＳＦＢ処理を中止する。
【００４５】
本変更例１に係る移動通信システムによれば、ＬＴＥ方式無線基地局ｅＮＢが、ＷＣＤＭＡ方式の移動通信システムにおける規制情報を考慮して、ＣＳＦＢ処理を継続するか否かについて判定することができるため、ＷＣＤＭＡ方式の移動通信システムにおいて、ＣＳＦＢ処理によって開始される移動局ＵＥのＣＳ通信について規制することができる。
【００４６】
（変更例２）
図６及び図７を参照して、本発明の変更例２に係る移動通信システムについて説明する。以下、本変更例２に係る移動通信システムについて、上述の第１の実施形態に係る移動通信システムとの相違点に着目して説明する。
【００４７】
図６に示すように、無線基地局ｅＮＢは、規制情報管理部３１と、ＡＳ処理・解析部３２と、ＮＡＳ解析部３３とを具備している。
【００４８】
規制情報管理部３１は、図２に示す交換局ＭＭＥの規制情報管理部１１と同様の機能を具備するものである。
【００４９】
ＡＳ処理・解析部３２は、移動局ＵＥとの間で終端するＡＳ（Ａｃｃｅｓｓ  Ｓｔｒａｔｕｍ）プロトコル（第２プロトコル）に係る処理を行うように構成されている。
【００５０】
ＮＡＳ解析部３３は、移動局ＵＥと交換局ＭＭＥとの間で終端するＮＡＳ（Ｎｏｎ  Ａｃｃｅｓｓ  Ｓｔｒａｔｕｍ）プロトコル（第１プロトコル）用信号を受信して解析するように構成されている。
【００５１】
例えば、ＮＡＳ解析部３３は、トラッキングエリアＴＡ＃１（所定エリア）において移動局ＵＥによって送信されたＮＡＳプロトコル用信号を受信して解析した結果、かかるＮＡＳプロトコル用信号が、第１識別情報を含む「Ｓｅｒｖｉｃｅ  Ｒｅｑｕｅｓｔ」に対応する場合で、かつ、トラッキングエリアＴＡ＃１に対応するエリア（所定エリア）ではＷＣＤＭＡ方式の移動通信システムにおける移動局ＵＥのＣＳ通信が規制されていることを示す規制情報が規制情報管理部３１によって管理されている場合には、交換局ＭＭＥに対して当該「Ｓｅｒｖｉｃｅ  Ｒｅｑｕｅｓｔ」を転送しないように構成されている。
【００５２】
なお、ＡＳ処理・解析部３２が、トラッキングエリアＴＡ＃１（所定エリア）において移動局ＵＥによって送信されたＡＳプロトコル用信号を受信して解析した結果、かかるＡＳプロトコル用信号が、第１識別情報を含む「Ｓｅｒｖｉｃｅ  Ｒｅｑｕｅｓｔ」に対応する場合で、かつ、トラッキングエリアＴＡ＃１に対応するエリア（所定エリア）ではＷＣＤＭＡ方式の移動通信システムにおける移動局ＵＥのＣＳ通信が規制されていることを示す規制情報が規制情報管理部３１によって管理されている場合には、ＮＡＳ解析部３３は、交換局ＭＭＥに対して当該「Ｓｅｒｖｉｃｅ  Ｒｅｑｕｅｓｔ」を転送しないように構成されていてもよい。
【００５３】
また、移動局ＵＥは、交換局ＭＭＥと無線基地局ｅＮＢとの間で終端する第３プロトコル用信号が、トラッキングエリアＴＡ＃１（所定エリア）において移動局ＵＥによって送信された第１識別情報を含む「Ｓｅｒｖｉｃｅ  Ｒｅｑｕｅｓｔ」に対応する場合で、かつ、トラッキングエリアＴＡ＃１に対応するエリア（所定エリア）ではＷＣＤＭＡ方式の移動通信システムにおける移動局ＵＥのＣＳ通信が規制されていることを示す規制情報が規制情報管理部３１によって管理されている場合には、交換局ＭＭＥに対して当該「Ｓｅｒｖｉｃｅ  Ｒｅｑｕｅｓｔ」を転送しないように構成されていてもよい。
【００５４】
ここで、図７を参照して、本変更例２に係る移動通信システムの動作について説明する。
【００５５】
図７に示すように、ステップＳ３００１において、トラッキングエリアＴＡ＃１（所定エリア）内の移動局ＵＥが、ＬＴＥ方式の移動通信システムのコアネットワークにおけるベアラを確立している状態で、第１識別情報を含む「Ｓｅｒｖｉｃｅ  Ｒｅｑｕｅｓｔ」を送信する。或いは、ステップS３００１において、トラッキングエリアＴＡ＃１（所定エリア）内の移動局ＵＥは、「Ｓｅｒｖｉｃｅ  Ｒｅｑｕｅｓｔ」を送信するためのＡＳプロトコル用信号において第１識別情報を設定して送信してもよい。
【００５６】
ステップＳ３００２において、無線基地局ｅＮＢが、移動局ＵＥによって送信されたＮＡＳプロトコル用信号を受信して解析して、かかる第１識別情報を含む「Ｓｅｒｖｉｃｅ  Ｒｅｑｕｅｓｔ」を検出する。或いは、無線基地局ｅＮＢは、移動局ＵＥによって送信されたＡＳプロトコル用信号を受信し、かかるＡＳプロトコル用信号に設定されている第１識別情報を取得する。
【００５７】
ここで、無線基地局ｅＮＢは、トラッキングエリアＴＡ＃１に対応するエリア（所定エリア）ではＷＣＤＭＡ方式の移動通信システムにおける移動局ＵＥのＣＳ通信が規制されていることが通知されているため、交換局ＭＭＥに対して、当該「Ｓｅｒｖｉｃｅ  Ｒｅｑｕｅｓｔ」を転送しない。
【００５８】
本変更例２に係る移動通信システムによれば、無線基地局ｅＮＢが、ＬＴＥ方式無線基地局ｅＮＢが、ＷＣＤＭＡ方式の移動通信システムにおける規制情報を考慮して、第１識別情報を含む「Ｓｅｒｖｉｃｅ  Ｒｅｑｕｅｓｔ」を交換局ＭＭＥに転送するか否かについて判断するように構成されているため、ＷＣＤＭＡ方式の移動通信システムにおける規制対象の移動局ＵＥからのＣＳＦＢ用の「Ｓｅｒｖｉｃｅ  Ｒｅｑｕｅｓｔ」が交換局ＭＭＥに到達することができず、ＣＳＦＢ処理が行われないように構成されている。その結果、ＷＣＤＭＡ方式の移動通信システムにおいて、ＣＳＦＢ処理によって開始される移動局ＵＥのＣＳ通信について規制することができる。
【００５９】
（変更例３）
図８を参照して、本発明の変更例３に係る移動通信システムについて説明する。以下、本変更例３に係る移動通信システムについて、上述の第１の実施形態に係る移動通信システムとの相違点に着目して説明する。
【００６０】
図８を参照して、本変更例２に係る移動通信システムの動作について説明する。
【００６１】
図８に示すように、移動局ＵＥは、トラッキングエリアＴＡ＃１（所定エリア）において、ＬＴＥ方式の移動通信システムのコアネットワーク及び無線アクセスネットワークにおけるベアラを確立している状態で、すなわち、ＬＴＥ方式の移動通信システムにおけるＰＳ通信を行っている状態で、ステップＳ４０００Ａにおいて、第１識別情報を含む「Ｓｅｒｖｉｃｅ  Ｒｅｑｕｅｓｔ」を送信する。
【００６２】
ステップＳ４０００Ｂにおいて、交換局ＭＭＥは、上述の「Ｓｅｒｖｉｃｅ  Ｒｅｑｕｅｓｔ」に、第１識別情報が含まれていることを検知し、ＣＳＦＢ処理用信号として、無線基地局ｅＮＢに対して、「Ｓ１  Ｉｎｉｔｉａｌ  ＵＥ  Ｃｏｎｔｅｘｔ  Ｓｅｔｕｐ」を送信する。
【００６３】
ステップＳ４００１において、無線基地局ｅＮＢは、受信した「Ｓ１  Ｉｎｉｔｉａｌ  ＵＥ  Ｃｏｎｔｅｘｔ  Ｓｅｔｕｐ」に応じて、移動局ＵＥについてのＬＴＥ方式の移動通信システム配下のセルからＷＣＤＭＡ方式の移動通信システム配下のセルに対するハンドオーバ処理を行うことを決定する。
【００６４】
ステップＳ４００２において、無線基地局ｅＮＢは、交換局ＭＭＥに対して、「Ｈａｎｄｏｖｅｒ  Ｒｅｑｕｉｒｅｄ（ハンドオーバ要求信号）」を送信する。ここで、かかる「Ｈａｎｄｏｖｅｒ  Ｒｅｑｕｉｒｅｄ」は、ＣＳＦＢ処理におけるハンドオーバ処理用信号であることを示す特定情報を含む。
【００６５】
ステップＳ４００３において、交換局ＭＭＥは、交換局ＳＧＳＮに対して、「Ｆｏｒｗａｒｄ  Ｒｅｌｏｃａｔｉｏｎ  Ｒｅｑｕｅｓｔ」を送信する。ここで、かかる「Ｆｏｒｗａｒｄ  Ｒｅｌｏｃａｔｉｏｎ  Ｒｅｑｕｅｓｔ」は、ＣＳＦＢ処理におけるハンドオーバ処理用信号であることを示す特定情報を含む。
【００６６】
ステップＳ４００４において、交換局ＳＧＳＮは、サービングゲートウェイ装置Ｓ-ＧＷ＃２に対して、「Ｃｒｅａｔｅ  ＰＤＰ  Ｃｏｎｔｅｘｔ  Ｒｅｑｕｅｓｔ」を送信し、ステップＳ４００５において、サービングゲートウェイ装置Ｓ-ＧＷ＃２は、交換局ＳＧＳＮに対して、「Ｃｒｅａｔｅ  ＰＤＰ  Ｃｏｎｔｅｘｔ  Ｒｅｓｐｏｎｓｅ」を送信する。
【００６７】
ステップＳ４００６において、交換局ＳＧＳＮが、無線制御装置ＲＮＣに対して、「Ｒｅｌｏｃａｔｉｏｎ  Ｒｅｑｕｅｓｔ（移動局ＵＥのＷＣＤＭＡ方式の移動通信システムへの切り替え要求信号）」を送信する。ここで、かかる「Ｒｅｌｏｃａｔｉｏｎ  Ｒｅｑｕｅｓｔ」は、ＣＳＦＢ処理におけるハンドオーバ処理用信号であることを示す特定情報を含む。
【００６８】
トラッキングエリアＴＡ＃１に対応するエリア（所定エリア）ではＷＣＤＭＡ方式の移動通信システムにおける移動局ＵＥのＣＳ通信が規制されているため、ステップＳ４００７において、無線制御装置ＲＮＣが、特定情報を含む「Ｒｅｌｏｃａｔｉｏｎ  Ｒｅｑｕｅｓｔ」を受信した場合に、上述のＣＳＦＢ処理を中止する。
【００６９】
本変更例３に係る移動通信システムによれば、無線制御装置ＲＮＣが、特定情報を含む「Ｒｅｌｏｃａｔｉｏｎ  Ｒｅｑｕｅｓｔ」を受信した場合には、上述のＣＳＦＢ処理を中止するように構成されているため、ＷＣＤＭＡ方式の移動通信システムにおいて、ＣＳＦＢ処理によって開始される移動局ＵＥのＣＳ通信について規制することができる。
【００７０】
（変更例４）
図９及び図１０を参照して、本発明の変更例４に係る移動通信システムについて説明する。以下、本変更例４に係る移動通信システムについて、上述の第１の実施形態に係る移動通信システムとの相違点に着目して説明する。
【００７１】
図９に示すように、移動局ＵＥは、ＣＳＦＢ処理部４１と、判定部４２とを具備している。
【００７２】
判定部４２は、ＣＳＦＢ処理用信号として、ＣＳＦＢ処理部４１によって受信された「ＨＯ  ｆｒｏｍ  Ｅ-ＵＴＲＡＮ  Ｃｏｍｍａｎｄ（移動局ＵＥのＷＣＤＭＡ方式の移動通信システムへの切り替え要求信号）」に、移動局ＵＥが在圏しているトラッキングエリアＴＡ＃１に対応するエリア（所定エリア）ではＷＣＤＭＡ方式の移動通信システムにおける移動局ＵＥのＣＳ通信が規制されていることを示す規制情報が含まれているか否かについて判定するように構成されている。
【００７３】
ＣＳＦＢ処理部４１は、上述のＣＳＦＢ処理を行うように構成されている。なお、ＣＳＦＢ処理部４１は、判定部４２によって、ＣＳＦＢ処理部４１によって受信された「ＨＯ  ｆｒｏｍ  Ｅ-ＵＴＲＡＮ  Ｃｏｍｍａｎｄ」に、上述の規制情報が含まれていると判定された場合、ＣＳＦＢ処理を中止するように構成されている。
【００７４】
図１０を参照して、本変更例２に係る移動通信システムの動作について説明する。
【００７５】
図１０に示すように、ステップＳ５０００Ａ乃至Ｓ５００６の動作は、図８に示すステップＳ４０００Ａ乃至Ｓ４００６の動作と同一である。
【００７６】
ステップＳ５００７において、無線制御装置ＲＮＣが、上述の規制情報を含む「Ｒｅｌｏｃａｔｉｏｎ  Ｒｅｑｕｅｓｔ  Ａｃｋｎｏｗｌｅｄｇｅ」を、交換局ＳＧＳＮに送信する。
【００７７】
ステップＳ５００８において、交換局ＳＧＳＮは、サービングゲートウェイ装置Ｓ-ＧＷ＃２に対して、「Ｃｒｅａｔｅ  ＰＤＰ  Ｃｏｎｔｅｘｔ  Ｒｅｑｕｅｓｔ」を送信し、ステップＳ５００９において、サービングゲートウェイ装置Ｓ-ＧＷ＃２は、交換局ＳＧＳＮに対して、「Ｃｒｅａｔｅ  ＰＤＰ  Ｃｏｎｔｅｘｔ  Ｒｅｓｐｏｎｓｅ」を送信する。
【００７８】
ステップＳ５０１０において、交換局ＳＧＳＮが、上述の規制情報を含む「Ｆｏｒｗａｒｄ  Ｒｅｌｏｃａｔｉｏｎ  Ｒｅｓｐｏｎｓｅ」を、交換局ＭＭＥに送信する。
【００７９】
ステップＳ５０１１において、交換局ＭＭＥは、サービングゲートウェイ装置Ｓ-ＧＷ＃１に対して、「Ｃｒｅａｔｅ  ＢｅａｒｅｒＲｅｑｕｅｓｔ」を送信し、ステップＳ５０１２において、サービングゲートウェイ装置Ｓ-ＧＷ＃１が、交換局ＭＭＥに対して、「Ｃｒｅａｔｅ  ＢｅａｒｅｒＲｅｓｐｏｎｓｅ」を送信する。
【００８０】
ステップＳ５０１３において、交換局ＭＭＥが、上述の規制情報を含む「Ｈａｎｄｏｖｅｒ  Ｃｏｍｍａｎｄ（ハンドオーバ指示信号）」を、無線基地局ｅＮＢに送信する。
【００８１】
ステップＳ５０１４において、無線基地局ｅＮＢが、上述の規制情報を含む「ＨＯ  ｆｒｏｍ  Ｅ-ＵＴＲＡＮ  Ｃｏｍｍａｎｄ」を、移動局ＵＥに送信する。
【００８２】
ステップＳ５０１５において、移動局ＵＥは、受信した「ＨＯ  ｆｒｏｍ  Ｅ-ＵＴＲＡＮ  Ｃｏｍｍａｎｄ」に、上述の規制情報が含まれていると判定し、ＣＳＦＢ処理を中止する。
【００８３】
本変更例３に係る移動通信システムによれば、無線制御装置ＲＮＣによって「Ｒｅｌｏｃａｔｉｏｎ  Ｒｅｑｕｅｓｔ  Ａｃｋｎｏｗｌｅｄｇｅ」に付与された規制情報（移動局ＵＥが在圏しているトラッキングエリアＴＡ＃１に対応するエリア（所定エリア）ではＷＣＤＭＡ方式の移動通信システムにおける移動局ＵＥのＣＳ通信が規制されていることを示す規制情報）が、移動局ＵＥにまで通知され、移動局ＵＥが、かかる規制情報に基づいて、上述のＣＳＦＢ処理を中止するように構成されているため、ＷＣＤＭＡ方式の移動通信システムにおいて、ＣＳＦＢ処理によって開始される移動局ＵＥのＣＳ通信について規制することができる。
【００８４】
なお、上述の無線基地局ｅＮＢや移動局ＵＥや交換局ＭＭＥの動作は、ハードウェアによって実施されてもよいし、プロセッサによって実行されるソフトウェアモジュールによって実施されてもよいし、両者の組み合わせによって実施されてもよい。
【００８５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥや交換局ＭＭＥ内に設けられていてもよい。また、かかる記憶媒体及びプロセッサは、ディスクリートコンポーネントとして無線基地局ｅＮＢや移動局ＵＥや交換局ＭＭＥ内に設けられていてもよい。
【００８７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８８】
【図１】本発明の第１の実施形態に係る移動通信システムの全体構成図である。
【図２】本発明の第１の実施形態に係る交換局の機能ブロック図である。
【図３】本発明の第１の実施形態に係る移動通信システムの動作を示すシーケンス図である。
【図４】本発明の変更例１に係る無線基地局の機能ブロック図である。
【図５】本発明の変更例１に係る移動通信システムの動作を示すシーケンス図である。
【図６】本発明の変更例２に係る無線基地局の機能ブロック図である。
【図７】本発明の変更例２に係る移動通信システムの動作を示すシーケンス図である。
【図８】本発明の変更例３に係る移動通信システムの動作を示すシーケンス図である。
【図９】本発明の変更例４に係る移動局の機能ブロック図である。
【図１０】本発明の変更例４に係る移動通信システムの動作を示すシーケンス図である。
【符号の説明】
【００８９】
ＭＭＥ…交換局
１１、２１、３１…規制情報管理部
１２…Ｓｅｒｖｉｃｅ  Ｒｅｑｕｅｓｔ受信部
１３、４２…判定部
１４、２２、４１…ＣＳＦＢ処理部
１５…Ｐｒｅｓｅｒｖａｔｉｏｎ復帰処理部
ｅＮＢ…無線基地局
３２…ＡＳ処理・解析部
３３…ＮＡＳ解析部
ＵＥ…移動局
【図１】
2010045746.tif 000003
【図２】
2010045746.tif 000004
【図３】
2010045746.tif 000005
【図４】
2010045746.tif 000006
【図５】
2010045746.tif 000007
【図６】
2010045746.tif 000008
【図７】
2010045746.tif 000009
【図８】
2010045746.tif 000010
【図９】
2010045746.tif 000011
【図１０】
2010045746.tif 000012
【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
所定エリアにおいて、移動局が、回線交換通信を提供していない第１移動通信システムのコアネットワークにおけるベアラを確立している状態で、サービス要求信号を送信する工程と、
前記第１移動通信システムの交換局において、前記サービス要求信号に第１識別情報が含まれていることが検知された場合、第２移動通信システムで前記移動局が回線交換通信を開始するための第１処理が行われる工程と、
前記第１移動通信システムの交換局において、前記サービス要求信号に第２識別情報が含まれていることが検知された場合、該第１移動通信システムの無線アクセスネットワークにおける前記移動局のベアラを確立するための第２処理が行われる工程とを有し、
前記第１移動通信システムの交換局において、前記サービス要求信号に前記第１識別情報が含まれていることが検知された場合であっても、前記所定エリアでは前記第２移動通信システムにおける前記移動局の回線交換通信が規制されている場合には、前記第１処理は行われないことを特徴とする移動通信方法。
【請求項２】
前記第1識別情報が含まれているサービス要求信号は、ＣＳＦＢ（Ｃｉｒｃｕｉｔ  Ｓｗｉｔｃｈｅｄ  Ｆａｌｌｂａｃｋ）処理用の「Ｓｅｒｖｉｃｅ  Ｒｅｑｅｓｔ」であり、
前記第２識別情報が含まれているサービス要求信号は、Ｐｒｅｓｅｒｖａｔｉｏｎ復帰処理用の「Ｓｅｒｖｉｃｅ  Ｒｅｑｅｓｔ」であり、
前記第１処理は、ＣＳＦＢ処理であり、
前記第２処理は、Ｐｒｅｓｅｒｖａｔｉｏｎ復帰処理であることを特徴とする請求項１に記載の移動通信方法。
【請求項３】
前記第１移動通信システムの交換局において、前記サービス要求信号に前記第１識別情報が含まれていることが検知された場合であっても、前記所定エリアでは前記第２移動通信システムにおける前記移動局の回線交換通信が規制されている場合には、前記第１移動通信システムの交換局が、前記第１処理の開始を拒絶することを特徴とする請求項１又は２に記載の移動通信方法。
【請求項４】
回線交換通信を提供していない第１移動通信システムの交換局であって、
前記第１移動通信システムのコアネットワークにおけるベアラを確立している状態の移動局によって所定エリアにおいて送信されたサービス要求信号に、第１識別情報が含まれていることが検知された場合、第２移動通信システムで前記移動局が回線交換通信を開始するための第１処理を行うように構成されている第１処理部と、
前記サービス要求信号に、第２識別情報が含まれていることが検知された場合、前記第１移動通信システムの無線アクセスネットワークにおける前記移動局のベアラを確立するための第２処理を行うように構成されている第２処理部とを具備し、
前記第１処理部は、前記サービス要求信号に前記第１識別情報が含まれていることが検知された場合であっても、前記所定エリアでは前記第２移動通信システムにおける前記移動局の回線交換通信が規制されている場合には、前記第１処理を行わないように構成されていることを特徴とする交換局。
【請求項５】
前記第1識別情報が含まれているサービス要求信号は、ＣＳＦＢ（Ｃｉｒｃｕｉｔ  Ｓｗｉｔｃｈｅｄ  Ｆａｌｌｂａｃｋ）処理用の「Ｓｅｒｖｉｃｅ  Ｒｅｑｅｓｔ」であり、
前記第２識別情報が含まれているサービス要求信号は、Ｐｒｅｓｅｒｖａｔｉｏｎ復帰処理用の「Ｓｅｒｖｉｃｅ  Ｒｅｑｅｓｔ」であり、
前記第１処理は、ＣＳＦＢ処理であり、
前記第２処理は、Ｐｒｅｓｅｒｖａｔｉｏｎ復帰処理であることを特徴とする請求項４に記載の交換局。
【請求項６】
前記第１処理部は、前記サービス要求信号に前記第１識別情報が含まれていることが検知された場合であっても、前記所定エリアでは前記第２移動通信システムにおける前記移動局の回線交換通信が規制されている場合には、前記第１処理の開始を拒絶するように構成されていることを特徴とする請求項４又は５に記載の交換局。